【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
画像形成装置の本体に着脱可能なカートリッジに装着される離間保持部材であって、前記カートリッジは、
静電潜像が形成される像担持体と、
前記像担持体に形成された静電潜像を現像剤で現像する現像剤担持体と、
前記像担持体を回転可能に支持する第一枠体と、
現像剤担持体を回転可能に支持し、前記第一枠体に対し相対移動が可能な第二枠体と、
前記第二枠体を前記第一枠体に対し、前記現像剤担持体が前記像担持体に形成された静電潜像を現像可能な現像可能位置とする付勢部材と、
を備え、
前記離間保持部材は、前記像担持体の回転軸線方向において、前記第一枠体の一端側に設けられ、
前記第一枠体と前記第二枠体との間に挿入され、前記第二枠体を、前記現像可能位置から退避した退避位置に保持する挿入部と、
第一壁部及び第二壁部を有し、前記第一枠体から前記回転軸線方向と交差する方向に突出した突出部が、前記回転軸線方向において前記第一壁部及び第二壁部の間に配置される規制部と、
を有することを特徴とする離間保持部材。
【請求項２】
前記第一枠体に取り付けられる取付部を有し、
前記規制部は、前記回転軸線まわりにおいて前記取付部と前記挿入部との間に位置することを特徴とする請求項１に記載の離間保持部材。
【請求項３】
前記挿入部を第一挿入部とし、
前記カートリッジが前記本体に装着された状態において、前記カートリッジと前記本体との間に挿入され、前記像担持体と前記本体に設けられた転写部材とを、前記像担持体に形成された現像剤像を記録材に転写可能な相対位置から離間した状態に保持する第二挿入部を、さらに有することを特徴とする請求項１または２に記載の離間保持部材。
【請求項４】
前記規制部と前記第二挿入部は、前記回転軸線方向において互いに重なる位置に配置されていることを特徴とする請求項３に記載の離間保持部材。
【請求項５】
前記挿入部を第一挿入部とし、
前記カートリッジが前記本体に装着された状態において、前記カートリッジと前記本体との間に挿入され、前記第二枠体に備えられた通信接点部と前記本体に設けられた通信ユニットとを、前記通信接点部が前記通信ユニットの接点と接触して前記通信ユニットと通信可能な相対位置から離間した状態に保持する第三挿入部を、さらに有することを特徴とすることを特徴とする請求項１〜４のいずれか１項に記載の離間保持部材。
【請求項６】
画像形成装置の本体に着脱可能なカートリッジユニットであって、
静電潜像が形成される像担持体と、
前記像担持体に形成された静電潜像を現像剤で現像する現像剤担持体と、
前記像担持体を回転可能に支持する第一枠体と、
現像剤担持体を回転可能に支持し、前記第一枠体に対し相対移動が可能な第二枠体と、
前記第二枠体を前記第一枠体に対し、前記現像剤担持体が前記像担持体に形成された静電潜像を現像可能な現像可能位置とする付勢部材と、
を備えたカートリッジと、
前記像担持体の回転軸線方向において、前記第一枠体の一端側に設けられ、
前記第一枠体と前記第二枠体との間に挿入され、前記第二枠体を、前記現像可能位置から退避した退避位置に保持する挿入部と、
第一壁部及び第二壁部を有し、前記第一枠体から前記回転軸線方向と交差する方向に突出した突出部が、前記回転軸線方向において前記第一壁部と前記第二壁部の間に配置される規制部と、
を有する、前記カートリッジに着脱可能な離間保持部材と、
を備えることを特徴とするカートリッジユニット。
【請求項７】
前記離間保持部材は、前記第一枠体に取り付けられる取付部を有し、前記規制部が前記回転軸線まわりにおいて前記取付部と前記挿入部との間に位置することを特徴とする請求項６に記載のカートリッジユニット。
【請求項８】
前記挿入部を第一挿入部とし、
前記離間保持部材は、カートリッジユニットが前記本体に装着された状態において、前記カートリッジと前記本体との間に挿入され、前記像担持体と前記本体に設けられた転写部材とを、前記像担持体に形成された現像剤像を記録材に転写可能な相対位置から離間した状態に保持する第二挿入部を、さらに有することを特徴とする請求項６または７に記載のカートリッジユニット。
【請求項９】
前記離間保持部材は、前記規制部と前記第二挿入部が、前記回転軸線方向において互いに重なる位置に配置されていることを特徴とする請求項８に記載のカートリッジユニット。
【請求項１０】
前記挿入部を第一挿入部とし、
前記離間保持部材は、カートリッジユニットが前記本体に装着された状態において、前記カートリッジと前記本体との間に挿入され、前記第二枠体に備えられた通信接点部と前記本体に設けられた通信ユニットとを、前記通信接点部が前記通信ユニットの接点と接触して前記通信ユニットと通信可能な相対位置から離間した状態に保持する第三挿入部を、さらに有することを特徴とすることを特徴とする請求項６〜９のいずれか１項に記載のカートリッジユニット。
【請求項１１】
画像形成装置の搬送を可能とした梱包体であって、
現像剤像が形成される像担持体と、前記像担持体を回転可能に支持する枠体と、を有す
るカートリッジと、
前記像担持体との間でニップを形成し、前記ニップに供給された記録材に前記像担持体に形成された現像剤像を転写する転写部材を有する、前記カートリッジが着脱可能な前記画像形成装置の本体と、
前記カートリッジに着脱可能な離間保持部材であって、前記像担持体の回転軸線方向において、前記枠体の一端側に設けられ、前記像担持体と前記転写部材の間に挿入される挿入部と、第一壁部及び第二壁部を有し、前記枠体から前記回転軸線方向と交差する方向に突出した突出部が、前記回転軸線方向において前記第一壁部と前記第二壁部の間に配置される規制部と、を備える離間保持部材と、
を有することを特徴とする梱包体。
【請求項１２】
前記規制部と前記挿入部は、前記回転軸線方向において互いに重なる位置に配置されていることを特徴とする請求項１１に記載の梱包体。
【請求項１３】
前記カートリッジは、
前記枠体を第一枠体とし、
前記像担持体に形成された静電潜像を現像剤で現像する現像剤担持体と、
現像剤担持体を回転可能に支持し、前記第一枠体に対し相対移動が可能な第二枠体と、
前記第二枠体を前記第一枠体に対し、前記現像剤担持体が前記像担持体に形成された静電潜像を現像可能な現像可能位置とする付勢部材と、
をさらに有し、
前記離間保持部材は、
前記挿入部を第二挿入部とし、
前記第一枠体と前記第二枠体との間に挿入され、前記第二枠体を、前記現像可能位置から退避した退避位置に保持する第一挿入部をさらに有することを特徴とする請求項１１または１２に記載の梱包体。
【請求項１４】
前記離間保持部材は、前記第一枠体に取り付けられる取付部を有し、前記規制部が前記回転軸線まわりにおいて前記取付部と前記第一挿入部との間に位置することを特徴とする請求項１３に記載の梱包体。
【請求項１５】
前記離間保持部材は、
前記挿入部を第二挿入部とし、
前記カートリッジと前記本体との間に挿入され、前記第二枠体に備えられた通信接点部と前記本体に設けられた通信ユニットとを、前記通信接点部が前記通信ユニットの接点と接触して前記通信ユニットと通信可能な相対位置から離間した状態に保持する第三挿入部を、さらに有することを特徴とすることを特徴とする請求項１３または１４に記載の梱包体。
【手続補正２】
【補正対象書類名】明細書
【補正対象項目名】０００７
【補正方法】変更
【補正の内容】
【０００７】
上記目的を達成するため、本発明の離間保持部材は、
画像形成装置の本体に着脱可能なカートリッジに装着される離間保持部材であって、前記カートリッジは、
静電潜像が形成される像担持体と、
前記像担持体に形成された静電潜像を現像剤で現像する現像剤担持体と、
前記像担持体を回転可能に支持する第一枠体と、
現像剤担持体を回転可能に支持し、前記第一枠体に対し相対移動が可能な第二枠体と、
前記第二枠体を前記第一枠体に対し、前記現像剤担持体が前記像担持体に形成された静電潜像を現像可能な現像可能位置とする付勢部材と、
を備え、
前記離間保持部材は、前記像担持体の回転軸線方向において、前記第一枠体の一端側に設けられ、
前記第一枠体と前記第二枠体との間に挿入され、前記第二枠体を、前記現像可能位置から退避した退避位置に保持する挿入部と、
第一壁部及び第二壁部を有し、前記第一枠体から前記回転軸線方向と交差する方向に突出した突出部が、前記回転軸線方向において前記第一壁部及び第二壁部の間に配置される規制部と、
を有することを特徴とする。
上記目的を達成するため、本発明のカートリッジユニットは、
画像形成装置の本体に着脱可能なカートリッジユニットであって、
静電潜像が形成される像担持体と、
前記像担持体に形成された静電潜像を現像剤で現像する現像剤担持体と、
前記像担持体を回転可能に支持する第一枠体と、
現像剤担持体を回転可能に支持し、前記第一枠体に対し相対移動が可能な第二枠体と、
前記第二枠体を前記第一枠体に対し、前記現像剤担持体が前記像担持体に形成された静電潜像を現像可能な現像可能位置とする付勢部材と、
を備えたカートリッジと、
前記像担持体の回転軸線方向において、前記第一枠体の一端側に設けられ、
前記第一枠体と前記第二枠体との間に挿入され、前記第二枠体を、前記現像可能位置から退避した退避位置に保持する挿入部と、
第一壁部及び第二壁部を有し、前記第一枠体から前記回転軸線方向と交差する方向に突出した突出部が、前記回転軸線方向において前記第一壁部と前記第二壁部の間に配置される規制部と、
を有する、前記カートリッジに着脱可能な離間保持部材と、
を備えることを特徴とする。
上記目的を達成するため、本発明の梱包体は、
画像形成装置の搬送を可能とした梱包体であって、
現像剤像が形成される像担持体と、前記像担持体を回転可能に支持する枠体と、を有するカートリッジと、
前記像担持体との間でニップを形成し、前記ニップに供給された記録材に前記像担持体に形成された現像剤像を転写する転写部材を有する、前記カートリッジが着脱可能な前記画像形成装置の本体と、
前記カートリッジに着脱可能な離間保持部材であって、前記像担持体の回転軸線方向において、前記枠体の一端側に設けられ、前記像担持体と前記転写部材の間に挿入される挿入部と、第一壁部及び第二壁部を有し、前記枠体から前記回転軸線方向と交差する方向に突出した突出部が、前記回転軸線方向において前記第一壁部と前記第二壁部の間に配置される規制部と、を備える離間保持部材と、
を有することを特徴とする。